(57)【要約】【課題】太陽光発電装置の取り付け用に波板が取り付けられた構造において、波板と屋根下地との間に雨水が浸入するのを抑制できる太陽光発電装置を備えた屋根構造を提供する。【解決手段】屋根下地１上に配置された複数の屋根材１３のうち軒先から棟側に向かって一定範囲の屋根材１３が省かれて装置取付部１４が形成される。装置取付部１４に対応するように、波板２の凹凸部２３の長手方向が軒棟方向に平行となるように波板２が取り付けられる。波板２の上方に太陽光発電装置４が取り付けられる。屋根構造は、装置取付部１４における屋根下地１の軒側の端部において、波板２と屋根下地１との間に取り付けられた下側水切り材６と、波板２の軒側の端部の上部に取り付けられた上側水切り材７とを有している。上側水切り材７の軒先側の先端は、下側水切り材６に所定の隙間を介して対向する。【選択図】図４
2018105057.tif 000002
【特許請求の範囲】
【請求項１】
屋根下地上に配置された複数の屋根材のうち軒先から棟側に向かって一定範囲の屋根材が省かれた装置取付部が形成される屋根構造において、前記装置取付部に対応する部分に、波板の凹凸部の長手方向が軒棟方向に平行となるように前記波板が取り付けられ、前記波板の上方に太陽光発電装置が取り付けられた屋根構造であって、
前記装置取付部における前記屋根下地の軒側の端部において、前記波板と前記屋根下地との間に取り付けられた下側水切り材と、
前記波板の軒側の端部の上部に取り付けられ、軒先側の先端部が前記下側水切り材に所定の隙間を介して対向する上側水切り材と
を有している
ことを特徴とする太陽光発電装置を備えた屋根構造。
【請求項２】
前記上側水切り材は、
前記波板の軒側の端面の上半部に対向する縦板部と、
前記縦板部から軒側に突出し、突出先端が前記下側水切り材に所定の隙間を介して対向する延出部と
を有している
ことを特徴とする請求項１記載の太陽光発電装置を備えた屋根構造。
【請求項３】
前記上側水切り材は、前記延出部が弾性変形可能に構成されている
ことを特徴とする請求項１または請求項２に記載の太陽光発電装置を備えた屋根構造。
【請求項４】
前記波板の軒側の端部は、前記屋根下地の軒側の端部よりも棟側に位置している
ことを特徴とする請求項１〜３のいずれか一項に記載の太陽光発電装置を備えた屋根構造。
【請求項５】
前記太陽光発電装置において軒棟方向に直交する方向の端面に対向する立設部をさらに備え、
前記立設部は、
前記屋根下地側に取り付けられた基台部と、
前記基台部に取り付けられ、前記屋根材における前記太陽光発電装置に対向する端部を上方から覆う覆い部と
を有し、
前記覆い部は、前記基台部に対して上下方向に高さ調整可能に構成されている
ことを特徴とする請求項１〜４のいずれか一項に記載の太陽光発電装置を備えた屋根構造。
【発明の詳細な説明】
【技術分野】
【０００１】
本発明は、太陽光発電装置を備えた屋根構造に関する。
【背景技術】
【０００２】
特許文献１には、従来の屋根構造が開示されている。この特許文献１記載の屋根構造は、屋根面上に太陽光発電装置（特許文献１では太陽電池モジュール）が設置されている。屋根面は、野地板等の屋根下地上に取り付けられた波板構造体と、この波板構造体の周囲に配置された複数の屋根材とで構成されている。
【０００３】
波板構造体は、凹凸が左右方向に繰り返し形成されており、その凹凸形状が軒棟方向に一様に形成されている。この波板構造体の上方には、複数の取付金具を介して太陽電池モジュールが設置されている。
【０００４】
このように、特許文献１記載の屋根構造は、太陽電池モジュールが設置される箇所においては、屋根材ではなく波板が取り付けられている。このため、特許文献１記載の屋根構造は、屋根材の上に太陽電池モジュールが設置された屋根構造に比べて、屋根下地等に掛かる重量を軽減することができる。その上、波板構造体は、凹凸形状が軒棟方向に延びているため、太陽電池モジュールの下方の通気性および断熱性を確保できる上に、排水性の低下も抑制できる。
【先行技術文献】
【特許文献】
【０００５】
【特許文献１】特開２０１２−１１７３５１号公報
【発明の概要】
【発明が解決しようとする課題】
【０００６】
ところで、この従来の屋根構造は、波板構造体の凹凸が左右方向に繰り返し形成されており、屋根下地との間に通気用の隙間が存在する。この屋根下地と波板構造体との間の隙間は、軒下に開放している（以下、この開口を軒先開口という）。このため、従来の屋根構造では、この隙間の軒先開口を軒先側から覆う軒先側水切り材が設けられている。
【０００７】
しかしながら、従来の屋根構造では、軒先側水切り材が軒先開口を軒先側から覆うのみであるため、例えば、壁面に沿って吹き上げる風に乗った雨水が、軒先開口に吹き込む場合があり、この場合、屋根下地側に雨水が浸入するという問題があった。
【０００８】
本発明は、上記事情に鑑みてなされたものであり、その目的とするところは、太陽光発電装置の取り付け用に波板が取り付けられた構造において、波板と屋根下地との間に雨水が浸入するのを抑制できる太陽光発電装置を備えた屋根構造を提供することにある。
【課題を解決するための手段】
【０００９】
本発明の太陽光発電装置を備えた屋根構造は、屋根下地上に配置された複数の屋根材のうち軒先から棟側に向かって一定範囲の屋根材が省かれた装置取付部が形成される屋根構造において、前記装置取付部に対応する部分に、波板の凹凸部の長手方向が軒棟方向に平行となるように前記波板が取り付けられ、前記波板の上方に太陽光発電装置が取り付けられた屋根の軒先構造であって、前記装置取付部における前記屋根下地の軒側の端部において、前記波板と前記屋根下地との間に取り付けられた下側水切り材と、前記波板の軒側の端部の上部に取り付けられ、軒先側の先端部が前記下側水切り材に所定の隙間を介して対向する上側水切り材とを有していることを特徴とする。
【００１０】
また、この太陽光発電装置を備えた屋根構造において、前記上側水切り材は、前記波板の軒側の端面の上半部に対向する縦板部と、前記縦板部から軒側に突出し、突出先端が前記下側水切り材に所定の隙間を介して対向する延出部とを有していることが好ましい。
【００１１】
また、この太陽光発電装置を備えた屋根構造において、前記上側水切り材は、前記延出部が弾性変形可能に構成されていることが好ましい。
【００１２】
また、この太陽光発電装置を備えた屋根構造において、前記波板の軒側の端部は、前記屋根下地の軒側の端部よりも棟側に位置していることが好ましい。
【００１３】
また、この太陽光発電装置を備えた屋根構造において、前記太陽光発電装置において軒棟方向に直交する方向の端面に対向する立設部をさらに備え、前記立設部は、前記屋根下地側に取り付けられた基台部と、前記基台部に取り付けられ、前記屋根材における前記太陽光発電装置に対向する端部を上方から覆う覆い部とを有し、前記覆い部は、前記基台部に対して上下方向に高さ調整可能に構成されていることが好ましい。
【発明の効果】
【００１４】
本発明の太陽光発電装置を備えた屋根構造によれば、太陽光発電装置の取り付け用に波板が取り付けられた構造において、波板と屋根下地との間に雨水が浸入するのを抑制することができる。
【図面の簡単な説明】
【００１５】
【図１】図１は、本発明の一実施形態の太陽光発電装置を備えた屋根構造の一部拡大斜視図である。
【図２】図２は、同上の取付金具の斜視図である。
【図３】図３は、図１におけるＤ−Ｄ線断面図である。
【図４】図４Ａは、図３におけるＡ部拡大図である。図４Ｂは、図４ＡのＣ−Ｃ線断面図である。
【図５】図５は、図３におけるＢ部拡大図である。
【図６】図６は、図１におけるＥ−Ｅ線断面図である。
【図７】図７Ａ〜７Ｃは、施工方法を説明するための斜視図である。
【図８】図８は、変形例を説明するための断面図である。
【発明を実施するための形態】
【００１６】
以下、本発明の実施形態について添付図面に基づいて説明する。
【００１７】
本実施形態の屋根構造は、例えば、切妻屋根や、寄棟屋根、片流れ屋根等の屋根に適用される。屋根の上面（屋根面）は、勾配を有しており、棟から軒に向かって下り傾斜している。以下においては、この勾配方向（水流れ方向）に平行な方向を軒棟方向として定義し、軒棟方向に直交しかつ水平面に沿った方向を左右方向として定義する。また、屋根面に直交する方向を上下方向として定義する。
【００１８】
なお、本実施形態において棟とは、屋根において最も高い部分を言うものとし、例えば、片流れ屋根の頂上部分も含む。また、軒とは、屋根における外壁側の端部を言うものとし、例えば、屋根において外壁面からの突出寸法が小さい、いわゆる「軒ゼロ」タイプの屋根においても軒を有するものとする。
【００１９】
本実施形態の屋根構造は、図１に示すように、屋根下地１と、複数の屋根材１３と、波板２と、太陽光発電装置４と、下側水切り材６と、上側水切り材７と、を備えている。
【００２０】
屋根下地１は、複数の屋根材１３，波板２および太陽光発電装置４を支持する。屋根下地１の上面は、水平面に対して傾斜しており、具体的には、棟から軒に向かって下り傾斜している。屋根下地１は、野地板１１と、防水シート１２とを備えている。
【００２１】
野地板１１は、軒棟方向および横方向に延びており、例えば、矩形板状に形成された合板により構成される。野地板１１は、複数の垂木に支持される。
【００２２】
防水シート１２は、野地板１１上に敷かれる。防水シート１２は、例えば、アスファルトルーフィングや、ゴムシートにより構成される。防水シート１２は、野地板１１上に敷かれることで、万が一、屋根材１３間の隙間や軒先等から雨水が浸入したとしても、雨水が室内側へ浸入するのを防ぐことができる。
【００２３】
屋根下地１の上方には、複数の屋根材１３が配置され、固定されている。本実施形態の屋根材１３は、横葺き用の屋根材１３であり、左右方向に延びた矩形板状に形成されている。屋根材１３の長手方向は、左右方向に平行となるように配置される。複数の屋根材１３は、左右方向に直線状に配置されていると共に、軒棟方向に沿って複数段となるように並設されている。
【００２４】
本実施形態の屋根構造は、図１に示すように、複数の屋根材１３のうち、軒先から棟側に向かって一定範囲にある屋根材１３が省かれている（この屋根材１３が省かれて防水シート１２が露出した部分を装置取付部１４という）。なお、この装置取付部１４としては、既に設置された屋根材１３の一部を取り除いて形成した態様だけでなく、新築時において、一部の屋根材１３を取り付けないで形成した態様も含む。
【００２５】
装置取付部１４には、波板２が取り付けられている。波板２は、左右方向に凹部２１と凸部２２とが繰り返し形成されており、当該凹部２１および凸部２２（凹部２１と凸部２２とを合わせて凹凸部２３という）が軒棟方向に延びている。波板２は、例えば、鋼板により構成される。波板２は、凹凸部２３の長手方向が軒棟方向に平行となるように、装置取付部１４を覆うようにして取り付けられる。
【００２６】
本実施形態の屋根構造は、波板２の上方に、取付金具３を介して太陽光発電装置４が設置される。
【００２７】
取付金具３は、図２に示すように、波板２の凹部２１の底部上に載置される複数の脚部３１と、波板２の凸部２２に載置された状態で固着具により固定される本体部３２とを備えている。本体部３２は、軒棟方向に延びており、軒棟方向の中間部分に太陽光発電装置４が載置・固定される載置部３３を有する。載置部３３には、軒棟方向に延びた長孔３４が形成されている。太陽光発電装置４は、この長孔３４に挿通された固着具を介して、固定される。
【００２８】
太陽光発電装置４は、太陽光の照射を受けて発電する装置である。本実施形態の太陽光発電装置４は、図３に示すように、太陽光発電パネル４１と、軒側取付具４２と、棟側取付具４５とを備えている。太陽光発電パネル４１は、軒側取付具４２と棟側取付具４５とで波板２上に保持されている。
【００２９】
ここで、図４Ａには、図３のＡ部拡大図を示す。図４Ａに示すように、軒側取付具４２は、軒側固定部４３と、軒側カバー４４とを備えている。
【００３０】
軒側固定部４３は、太陽光発電パネル４１の下面と軒側の端面とを支持した状態で、取付金具３の載置部３３に固定される。軒側カバー４４は、軒側固定部４３にねじ留めされており、その上面が太陽光発電パネル４１の上面と面一に形成される。軒側カバー４４の上面は、軒側ほど下方に位置するように傾斜しており、その下端が上側水切り材７に対向している。
【００３１】
装置取付部１４における屋根下地１の軒側の端部には下側水切り材６が設置されており、その上方に位置するようにして、上側水切り材７が配置されている。
【００３２】
下側水切り材６は、野地板１１と波板２との間に配置される下地固定部６１と、下地固定部６１の軒側の端部から屋外側斜め下方に延びる水切り部６２とを備えている。下地固定部６１と水切り部６２とは曲げ加工により一体に形成されている。下地固定部６１は、野地板１１に固着具により固定される。水切り部６２は、野地板１１の端面を屋外側から覆っている。
【００３３】
上側水切り材７は、波板２の軒側の端部に取り付けられている。ここで、波板２の軒側の端部は、野地板１１の軒側の端部よりも棟側に位置している。これにより、野地板１１と波板２との間の隙間が下方に開放するのを防ぐことができ、壁面に沿って下方から吹き上げる風雨が、波板２の凸部２２と野地板１１との間の隙間に入り込むのを抑制できる。
【００３４】
上側水切り材７は、波板２の凸部２２の上部に載った状態でねじ留めされる横板部７１と、横板部７１の軒側の端部から下方に延出する縦板部７２と、縦板部７２の下端部から軒側に突出する延出部７３とを備えている。
【００３５】
横板部７１は、図４Ｂに示すように、平板状に形成されており、波板２の複数の凸部２２間に跨って配置される。このため、横板部７１と波板２の凹部２１との間には隙間が形成される。なお、横板部７１の固定は、波板２の凸部２２の上部に対応する位置でねじ留めされてもよいし、凹部２１の底部に対応する位置でねじ留めされてもよい。
【００３６】
縦板部７２は、横板部７１の軒側の端部から下方に延出しており、少なくとも、波板２の軒側の端面の上半部を覆う。すなわち、縦板部７２は、波板２の軒側の端面の上半部に対向する。縦板部７２の下端は、凹部２１の上面の下端よりも上方に位置している。これにより、縦板部７２は、凸部２２と野地板１１との間の隙間に対しては上半部を覆いつつ、下半部に通気可能な隙間を残し、凹部２１に対しては、下半部に排水できる隙間を残すことができる。
【００３７】
延出部７３は、図４Ａに示すように、縦板部７２の下端から野地板１１に沿って軒先に延びている。延出部７３の先端部は、下側水切り材６の水切り部６２に向かって折曲している。延出部７３の先端は、下側水切り材６に対し、所定の隙間を介して対向している。この所定の隙間は、通気および排水が可能な程度の隙間であり、具体的には、３ｍｍ〜１０ｍｍ程度の隙間に設定されている。これにより、延出部７３の先端部と下側水切り材６との間の隙間を介して空気を取り込むことができ、取り込まれた空気は、凸部２２と野地板１１との間の隙間を通過して、波板２の凸部２２に沿って軒棟方向に通気される。
【００３８】
また延出部７３は、上下方向に弾性変形可能に構成されている。延出部７３の先端部と下側水切り材６との間には、上述の通り、所定の隙間が介在するが、例えば、延出部７３に風雨が吹き当たると、延出部７３は弾性的に変形して、下側水切り材６に押し当てられる。これにより、延出部７３の先端部と下側水切り材６との間から風雨が吹き込むのが抑制され、防水シート１２と波板２との間に雨水が浸入するのを抑制できる。
【００３９】
図５には、図３のＢ部拡大図を示す。図５に示すように、棟側取付具４５は、棟側固定部４６と、棟側固定部４６に固定された棟側カバー４７とを備えている。
【００４０】
棟側固定部４６は、太陽光発電パネル４１の下面と棟側の端面とを支持した状態で、取付金具３の載置部３３に固定される。棟側カバー４７は、棟側固定部４６に連結されており、その上面が太陽光発電パネル４１の上面と面一に形成される。棟側カバー４７の上面は、棟側ほど下方に位置するように傾斜している。
【００４１】
装置取付部１４における屋根下地１の棟側の端部には、屋根材１３から流れた雨水を波板２上に導く導水カバー４８が取り付けられている。導水カバー４８は、屋根材１３の下方から波板２上にわたって延びる第一カバー４９と、第一カバー４９と棟側カバー４７との間を覆う第二カバー５０とを備えている。
【００４２】
第一カバー４９は、軒棟方向に幅を有し、左右方向に長さを有する矩形状に形成されている。第一カバー４９は、波板２の左右方向の長さの全長にわたって形成されている。第一カバー４９の棟側の端部は、屋根下地１と屋根材１３との間に配置されており、屋根下地１に固着具を介して固定されている。第一カバー４９の軒側の端部は、波板２の凸部２２の上部に固着具を介して固定されている。第二カバー５０は、第一カバー４９の上方に重ねて固定される下段固定部５１と、下段固定部５１からＬ字状に軒側に突出した取付金具覆い部５２とを備えている。
【００４３】
屋根材１３から流れた雨水は、第一カバー４９上を伝って第二カバー５０に至る。雨水の大部分は第二カバー５０上に流れ、第二カバー５０上の雨水は、波板２上に流下する。また、第一カバー４９と第二カバー５０との間から多少の雨水が流れ込むが、波板２上に流下する。なお、波板２の凹部２１の棟側の端部には、雨水が流出するのを防ぐ面戸パッキン９が配置されている。
【００４４】
次に、波板２の左右方向の端部の仕舞いについて説明する。図６に示すように、波板２の左右方向の両端部には、それぞれ、見切り板材８が取り付けられている。
【００４５】
見切り板材８は、野地板１１に固定される固定板部８１と、固定板部８１の波板２側の端部から上方に演出する起立部８２と、起立部８２の上端部から波板２側に突出する重ね部８３とを備えている。固定板部８１には、軒棟方向に延びた複数の突条８４が形成されている。複数の突条８４は、左右方向に平行に並んでいる。この複数の突条８４により、万が一、見切り板材８と屋根板との間に雨水が浸入しても、突条８４よりも端部側に雨水が浸入するのを防ぐことができ、また、雨水を突条８４に沿って軒側に流下させることができる。
【００４６】
重ね部８３の下方には、波板２が重ねられており、波板２の左右方向の端部が覆われている。このため、波板２の左右方向の端部からは雨水が流出しないように構成されている。
【００４７】
次に、本実施形態の屋根構造の施工方法を、図７Ａ〜Ｃを参照して説明する。
【００４８】
野地板１１の施工後、野地板１１の軒先に沿って、下側水切り材６を固定し、防水シート１２を施工する。次いで、装置取付部１４に対応する箇所に波板２を取り付ける。このとき、波板２を左右方向に複数並べて取り付けてもよいが、例えば、１．５山重なるようにして並べることが好ましい。
【００４９】
次いで、波板２の左右方向の両端部に、見切り板材８を取り付ける。また、波板２の棟側の端部に、第一カバー４９を設置し、図７Ｂに示すように、軒側の端部に上側水切り材７を取り付ける。そして、波板２の上方に、複数の取付金具３を取り付ける。この後、図７Ｃに示すように、取付金具３の上方に、太陽光発電装置４を取り付ける。
【００５０】
〔変形例〕
上記実施形態の屋根材１３は、平板状の屋根板により構成されたが、屋根材１３として瓦が用いられる場合、例えば、図８に示すような態様であってもよい。
【００５１】
本変形例の屋根構造は、見切り板材８の上方に立設部８９が設けられている。立設部８９は、太陽光発電パネル４１の左右方向の端面に対向するように立ち上げられている。この立設部８９は、見切り板材８の上方に取り付けられた基台部８５と、基台部８５に取り付けられた覆い部８６とを備える。
【００５２】
基台部８５は、見切り板材８上に載置された状態で、固着具により屋根下地１に固定される。基台部８５は、断面ハット状に形成されており、太陽光発電パネル４１の軒棟方向の全長にわたって形成されている。また、基台部８５は、屋根材１３の下方に位置する敷き込み部８５１が形成されている。敷き込み部８５１の屋根材１３側の端部は立ち上げられている。
【００５３】
覆い部８６は、基台部８５に対して、上下方向に高さ調整可能に構成されている。覆い部８６は、基台部８５に取り付けられる縦部８７と、縦部８７から側方に突出した突出部８８とを備えている。突出部８８は、屋根材１３の端部を上方から覆う。
【００５４】
覆い部８６と、基台部８５とは、高さ調整された状態でねじ留めされる。これにより、基台部８５に対する覆い部８６の位置が決定される。
【００５５】
ここで、一般に、瓦は、製品ごとに厚みが異なる。このため、立設部８９として、基台部８５に対して調整できない覆い部８６が設けられた場合には、瓦によっては、立設部８９を取り付けることができない場合が生じ得る。
【００５６】
しかしながら、本変形例の立設部８９によれば、覆い部８６が高さ調整可能に構成されているため、作業現場において、瓦の厚みに応じて覆い部８６の高さを設定することができる。この結果、立設部８９を取り付けることができないという事態が生じない。
【００５７】
〔効果〕
以上説明したように、上記実施形態の太陽光発電装置４を備えた屋根構造は、屋根下地１上に配置された複数の屋根材１３のうち軒先から棟側に向かって一定範囲の屋根材１３が省かれて装置取付部１４が形成された屋根構造である。装置取付部１４に対応する部分に、波板２の凹凸部２３の長手方向が軒棟方向に平行となるように波板２が取り付けられる。波板２の上方に太陽光発電装置４が取り付けられる。屋根構造は、下側水切り材６と、上側水切り材７とを備える。下側水切り材６は、装置取付部１４における屋根下地１の軒側の端部において、波板２と屋根下地１との間に取り付けられる。上側水切り材７は、波板２の軒側の端部の上部に取り付けられ、軒先側の先端が下側水切り材６に所定の隙間を介して対向する。
【００５８】
この構成によれば、下側水切り材６によって、上側水切り材７の下方を覆うことができるため、上側水切り材７と屋根下地１との間の隙間に風雨が吹き込むのを防ぐことができる。また、下側水切り材６と上側水切り材７との間には、所定の隙間が介在しているため、太陽光発電装置４の下方の通気性が損なわれることも抑制できる上に、波板２上を流れる雨水の排水性が損なわれるのも抑制できる。
【００５９】
また、上記実施形態の太陽光発電装置４を備えた屋根構造は、次の付加的な構成を備える。すなわち、上記実施形態の太陽光発電装置４を備えた屋根構造において、上側水切り材７は、波板２の軒側の端面の上半部に対向する縦板部７２と、縦板部７２から軒側に突出し、突出先端が下側水切り材６に所定の隙間を介して対向する延出部７３とを有している。
【００６０】
この構成によれば、波板２の凸部２２と屋根下地１との間の隙間の上半部を、縦板部７２で覆うことができるため、当該隙間をできる限り小さくすることができる。この結果、波板２と屋根下地１との間の通気性を確保しつつも、当該隙間から雨水が浸入するのを防ぐことができる。
【００６１】
また、上記実施形態の太陽光発電装置４を備えた屋根構造は、次の付加的な構成を備える。すなわち、上記実施形態の太陽光発電装置４を備えた屋根構造において、上側水切り材７は、延出部７３が弾性変形可能に構成されている。
【００６２】
この構成によれば、風雨が上側水切り材７に当たると、上側水切り材７が弾性的に変形して、下側水切り材６に当接し、上側水切り材７と下側水切り材６との間の隙間を塞ぐことができる。この結果、通常時は、通気性と排水性を確保することができつつも、風雨等の天候が荒れた時には、風雨が上側水切り材７と下側水切り材６との間に吹き込まれるのを防ぐことができる。
【００６３】
また、上記実施形態の太陽光発電装置４を備えた屋根構造は、次の付加的な構成を備える。すなわち、上記実施形態の太陽光発電装置４を備えた屋根構造において、波板２の軒側の端部は、屋根下地１の軒側の端部よりも棟側に位置している。
【００６４】
この構成によれば、屋根下地１と波板２との間の隙間が下方に開放するのを防ぐことができるため、より一層、屋根下地１と波板２との間の隙間に雨風が吹き込むのを抑制できる。
【００６５】
また、上記変形例の太陽光発電装置４を備えた屋根構造は、次の付加的な構成を備える。すなわち、上記実施形態の太陽光発電装置４を備えた屋根構造は、太陽光発電装置４において軒棟方向に直交する方向の端面に対向する立設部８９をさらに備える。立設部８９は、屋根下地１側に取り付けられた基台部８５と、基台部８５に取り付けられ、屋根材１３における太陽光発電装置４に対向する端部を上方から覆う覆い部８６とを有する。覆い部８６は、基台部８５に対して上下方向に高さ調整可能に構成されている。
【００６６】
この構成によれば、屋根材１３の厚さが製品ごとに異なっても、作業現場で屋根材１３に合わせて覆い部８６の高さを設定することができる。
【００６７】
〔応用〕
上記実施形態の屋根下地１は、野地板１１と、防水シート１２を備えていたが、屋根下地１としては、野地板１１だけでもよく、防水シート１２を備えなくてもよい。
【００６８】
上記実施形態では、波板２を取り付けた後に屋根材１３を取り付けたが、既設の屋根材１３の一部を取り外して、その箇所に波板２を取り付けてもよい。
【００６９】
上記実施形態の延出部７３は、縦板部７２の下端部から延出していたが、例えば、縦板部７２の上下方向の中間部分から延出していてもよく、縦板部７２の下端部にのみ限定されない。
【００７０】
その他、上記実施形態の構成は、本発明の主旨を逸脱しない範囲であれば、適宜設計変更を行うことができる。
【符号の説明】
【００７１】
１      屋根下地
１３    屋根材
１４    装置取付部
２      波板
２３    凹凸部
４      太陽光発電装置
６      下側水切り材
７      上側水切り材
７２    縦板部
７３    延出部
８５    基台部
８６    覆い部
８９    立設部
【図１】
2018105057.tif 000003
【図２】
2018105057.tif 000004
【図３】
2018105057.tif 000005
【図４】
2018105057.tif 000006
【図５】
2018105057.tif 000007
【図６】
2018105057.tif 000008
【図７】
2018105057.tif 000009
【図８】
2018105057.tif 000010